(57)【要約】【課題】太陽光発電用パネルが設置してある傾斜屋根からの落雪を防止することができる軽量な落雪防止装置を提供する。【解決手段】長手方向が傾斜屋根の傾斜に沿って配置される複数の縦梁１０と、長手方向が傾斜屋根の軒に平行に配置され、複数の縦梁１０を所定の間隔で固定する横梁２０と、傾斜屋根の傾斜の上側に向かって弓形に湾曲し、傾斜屋根６０の面に垂直かつ前記横梁２０に垂直に、縦梁１０に固定された雪受け部３０と、雪受け部３０の弓形に湾曲した部分に、横梁２０の長手方向の幅に張り渡された、網状のネット部４０と、を備えた落雪防止装置１。【選択図】図１
2014190050.tif 000002
【特許請求の範囲】
【請求項１】
長手方向が傾斜屋根の傾斜に沿って配置される複数の縦梁と、
長手方向が前記傾斜屋根の軒に平行に配置され、前記複数の縦梁を所定の間隔で固定する横梁と、
前記傾斜屋根の傾斜の上側に向かって弓形に湾曲し、前記傾斜屋根の面に垂直かつ前記横梁に垂直に、前記縦梁に固定された雪受け部と、
前記雪受け部の弓形に湾曲した部分に、前記横梁の長手方向の幅に張り渡された、網状のネット部と、
を備えたことを特徴とする落雪防止装置。
【請求項２】
請求項１に記載の落雪防止装置において、
一端が前記縦梁の下端部に固定され、他端が前記雪受け部の湾曲部分の凹部側に固定されている支柱を備えたことを特徴とする落雪防止装置。
【請求項３】
請求項１又は請求項２に記載の落雪防止装置において、
前記縦梁前記横梁及び前記雪受け部は、金属製であり、
前記ネット部は、樹脂製であることを特徴とする落雪防止装置。
【発明の詳細な説明】
【技術分野】
【０００１】
本発明は、傾斜屋根に積もった雪、特に傾斜屋根に設置した太陽光発電用パネルに積もった雪の落下を防止するための落雪防止装置に関する。
【背景技術】
【０００２】
従来、傾斜屋根に積もった氷雪塊の急激な落下を防止するとともに、氷雪塊を徐々にとかし軒先の天樋に、その傾斜を利用した自然排水を可能にし、軽量で家屋やその屋根に負担をかけないようにした落雪防止装置があった。
【０００３】
この落雪防止装置では、剛性を有する熱可塑性合成樹脂からなる矩形状ネットの一辺端部の平面部に、合成樹脂製ネットを対向辺に平行させて中空に膨出させ、その中空膨出部側が屋根面の低位側となるように設置してある（例えば、特許文献１参照）。
【先行技術文献】
【特許文献】
【０００４】
【特許文献１】特開２００８−２０８５５２号公報
【発明の概要】
【発明が解決しようとする課題】
【０００５】
ところが、近年、傾斜屋根に太陽光発電用パネルが設置されることが多くなり、太陽光発電用パネルの表面にも雪が積もるという状態が発生するようになってきている。この場合、屋根の傾斜面の高さよりも太陽光発電用パネルの表面の高さが高くなるため、従来のように、傾斜屋根に設置して、屋根の傾斜面から滑り落ちる雪を止める落雪防止装置では、太陽光発電用パネルの表面に積もって、そこから滑り落ちる雪を止めることができないという問題がある。
【０００６】
また、従来の落雪防止装置の高さを高くして太陽光発電用パネルの表面から滑り落ちる雪を止めようとすると、強度が不足し、また、そのために落雪防止装置の強度を高くすると重量が増加するという問題もあった。
【０００７】
本発明は、こうした問題に鑑みなされたもので、太陽光発電用パネルが設置してある傾斜屋根からの落雪を防止することができる軽量な落雪防止装置を提供することを目的とする。
【課題を解決するための手段】
【０００８】
この欄においては、発明に対する理解を容易にするため、必要に応じて「発明を実施するための形態」欄において用いた符号を付すが、この符号によって請求の範囲を限定することを意味するものではない。
【０００９】
上記「発明が解決しようとする課題」において述べた問題を解決するためになされた発明は、縦梁（１０）、横梁（２０）、雪受け部（３０）及びネット部（４０）を備えた落雪防止装置（１）である。
【００１０】
縦梁（１０）は、長手方向が傾斜屋根（６０）の傾斜に沿って複数配置された梁であり、横梁（２０）は、長手方向が傾斜屋根（６０）の軒に平行に配置され、複数の縦梁（１０）を所定の間隔で固定する梁である。
【００１１】
雪受け部（３０）は、傾斜屋根（６０）の傾斜の上側に向かって弓形に湾曲し、縦梁（１０）に、傾斜屋根（６０）の面に垂直かつ横梁（２０）に垂直に固定されている。また、ネット部（４０）は、雪受け部（３０）の弓形に湾曲した部分に横梁（２０）の長手方向の幅に張り渡された、網状のネットである。
【００１２】
このような、落雪防止装置（１）によれば、長手方向が傾斜屋根（６０）の軒に平行に配置された横梁（２０）によって、長手方向が傾斜屋根（６０）の傾斜に沿って配置された複数の縦梁（１０）が所定の間隔で固定されている。
【００１３】
そして、傾斜屋根（６０）の傾斜の上側に向かって弓形に湾曲した雪受け部（３０）が、傾斜屋根（６０）の面に垂直かつ横梁（２０）に垂直となるように縦梁（１０）に固定されており、雪受け部（３０）の弓形に湾曲した部分に網状のネット部（４０）が横梁（２０）の長手方向の幅に張り渡されている。
【００１４】
すると、太陽光発電用パネルの表面のように屋根（６０）の傾斜面から高い位置に積もった雪が落下した場合であっても、落下した雪がネット部（４０）で受けられるため、雪が屋根（６０）からは落下しない。
【００１５】
ここで、ネット部（４０）を支える雪受け部（３０）は、横梁（２０）と縦梁（１０）とによって固定され、さらに、傾斜屋根（６０）の上側に向かって弓状に湾曲しているため、太陽光発電用パネル表面からの落雪を防止するために、雪受け部（３０）の高さを高くしても、雪の重量に対抗し得る強度を持たせることができる。
【００１６】
また、雪受け部（３０）に支えられたネット部（４０）に落雪が滞留した場合、湾曲面の反対の面は、太陽光を遮るものがほとんどないので、滞留している雪に太陽光が当たるようになっている。したがって、ネット部（４０）に滞留している雪を早く溶かすこともできる。
【００１７】
また、請求項２に記載のように、一端が縦梁（１０）の下端部に固定され、他端が雪受け部（３０）の湾曲部分の凹部側に固定されている支柱（５０）を備えるようにすると、雪受け部（３０）の強度をさらに高めることができ、大量の雪の落雪を防止することができる。
【００１８】
ところで、横梁（２０）、縦梁（１０）、雪受け部（３０）、ネット部（４０）の材質には種々のものが考えられるが、請求項３に記載のように、横梁（２０）、縦梁（１０）及び雪受け部（３０）を金属製とし、ネット部（４０）を樹脂製とすると、縦梁（１０）、横梁（２０）及び雪受け部（３０）が金属製であるため、落雪防止装置（１）の強度を高めることができ、設置する面積がおおきいネット部（４０）を軽量化することができる。つまり、落雪防止装置（１）の強度を保ちつつ、軽量化を図ることができる。
【図面の簡単な説明】
【００１９】
【図１】落雪防止装置の概略の構成を示す外観図である。
【図２】フレーム部の外観図及び断面図である。
【図３】落雪防止装置のそうめん図及び背面図である。
【図４】落雪防止装置の左右側面図である。
【図５】落雪防止装置の平面図及び底面図である。
【図６】落雪防止装置を、太陽光発電用パネルが設置された傾斜屋根に設置した状態を示す図である。
【発明を実施するための形態】
【００２０】
以下、本発明が適用された実施形態について図面を用いて説明する。なお、本発明の実施の形態は、下記の実施形態に何ら限定されることはなく、本発明の技術的範囲に属する限り種々の形態を採りうる。
（落雪防止装置１の構成）
図１は、本発明が適用された落雪防止装置１の概略の構成を示す外観図であり、図２は、フレーム部５の外観図（図２ａ）及び断面図（図２ｂ）である。また、図３は、落雪防止装置１の正面図（図３（ａ））及び背面図（図３（ｂ））であり、図４は、右側面図（図４（ａ））及び左側面図（図（ｂ））であり、図５は、平面図（図５（ａ））及び平面図（図５（ｂ））である。また、図６は、落雪防止装置１を傾斜屋根６０に取り付けた状態を示す図である。
【００２１】
落雪防止装置１は、図１に示すように、フレーム部５及びネット部４０と、を備えている。
フレーム部５は、図２に示すように、縦梁１０、横梁２０、雪受け部３０及び支柱５０を備えている。
【００２２】
縦梁１０は、長手方向が傾斜屋根６０（図６参照）の傾斜に沿って配置されるスチールなどの金属製の梁であり、複数配置されている。縦梁１０の、雪受け部３０の湾曲部分側の先端は、外側（雪受け部３０の湾曲部分の凸部側）に、断面がクランク状になるように形成されている。なお、以下このクランク状の部分をクランク部３２と呼ぶ。
【００２３】
後述するように、このクランク部３２で、太陽光発電用パネル７０と連結して傾斜屋根６０に取り付けられるようになっている。
横梁２０は、長手方向が傾斜屋根６０の軒に平行に配置され、複数の縦梁１０を所定の間隔で固定するためのスチールなどの金属製の梁であり、図２に示すように、複数の縦梁１０を連結する以外にも、縦梁１０に設置された複数の雪受け部３０を連結して、フレーム５の強度を高めるために、複数個設けてもよい。
【００２４】
雪受け部３０は、スチールなどの金属製の部材を、傾斜屋根６０の傾斜の上側に向かって弓形に湾曲するように形成してあり、傾斜屋根６０の面に垂直かつ横梁２０に垂直に、縦梁１０に固定してある。
【００２５】
雪受け部３０の湾曲部分には、ネット部４０を固定するためのネジ穴が設けてあり、このネジ穴にボルトを挿入し、ナットで固定することによりネット部４０を雪受け部３０に固定する。
【００２６】
また、雪受け部３０の上端部分（図２中「Ａ」で示す部分）は、弓状の湾曲方向と反対方向に湾曲させてあり、ネット部４０を超えて落下しようとする雪をネット部４０に方に折り返すようになっている。
【００２７】
支柱５０は、一端が縦梁１０の下端部に固定され、他端が雪受け部３０の湾曲部分の凹部側に固定されている部材である。本実施形態では、図２に示すように、縦梁１０と一体成型してあり、スチール製部材の縦梁１０の下端部を上方に折り曲げ、折り曲げた部分の先端が雪受け部３０の湾曲部分の凹部側の先端近傍に固定してある。
【００２８】
ネット部４０は、ポリエチレンなどの樹脂製の網状の部材であり、雪受け部３０の弓形に湾曲した部分に、横梁２０の長手方向の幅に張り渡されている。
ネット部４０の網目の大きさは、例えば、その地方で屋根に積もる雪の雪質などによって決定すればよい。
（落雪防止装置１の設置）
次に図６に基づいて、落雪防止装置１を、太陽光発電用パネル７０が設置された傾斜屋根６０に設置する方法について説明する。
【００２９】
図６に示すように、落雪防止装置１は、太陽光発電用パネル７０が設置されている傾斜屋根６０の軒に、横梁２０が軒と平行、かつ、雪受け部３０の湾曲部分の凸部側が太陽光発電用パネル７０の向きになるように設置する。
【００３０】
設置の際には、太陽光発電用パネル７０を傾斜屋根６０に設置するための取付金具６２の下端面と傾斜屋根６０との間に、取付金具６４を挟み込む。そして、挟み込んだ取付金具６４の先端（挟み込んだ部分と反対端）をクランク部３２に取り付けることによって、太陽光発電用パネル７０と落雪防止装置１とを連結する。
【００３１】
これにより、太陽光発電用パネル７０に積もった雪が落下して、落雪防止装置１に堆積しても、落雪防止装置１自体が傾斜屋根６０から落下しないような取付強度を得ることができる。
（落雪防止装置１の特徴）
以上のような、落雪防止装置１では、傾斜屋根６０の傾斜の上側に向かって弓形に湾曲した雪受け部３０が、傾斜屋根６０の面に垂直かつ横梁２０に垂直となるように縦梁１０に固定されており、雪受け部３０の弓形に湾曲した部分に網状のネット部４０が横梁２０の長手方向の幅に張り渡されている。
【００３２】
したがって、太陽光発電用パネル７０の表面のように傾斜屋根６０の傾斜面から高い位置に積もった雪が落下した場合であっても、落下した雪がネット部４０で受けられるため、雪が傾斜屋根６０からは落下しない。
【００３３】
ここで、ネット部４０を支える雪受け部３０は、横梁２０と縦梁１０とによって固定され、さらに、傾斜屋根６０の上側に向かって弓状に湾曲しているため、太陽光発電用パネル表面からの落雪を防止するために、雪受け部３０の高さを高くしても、雪の重量に対抗し得る強度を持たせることができる。
【００３４】
また、雪受け部３０に支えられたネット部４０に落雪が滞留した場合、湾曲面の反対の面は、太陽光を遮るものがほとんどないので、滞留している雪に太陽光が当たるようになっている。したがって、ネット部４０に滞留している雪を早く溶かすこともできる。
【００３５】
また、支柱５０によって、雪受け部３０が湾曲部分の凹部側から支柱５０で支えられているため、雪受け部３０の強度をさらに高めることができ、大量の雪の落雪を防止することができる。
【００３６】
また、横梁２０、縦梁１０及び雪受け部３０をスチールのような金属製とし、ネット部４０が樹脂製であるので、落雪防止装置１の強度を高めることができ、設置する面積が大きいネット部４０を軽量化することができる。つまり、落雪防止装置１の強度を保ちつつ、軽量化を図ることができるようになっている。
【００３７】
以上、本発明の実施形態について説明したが、本発明は、本実施形態に限定されるものではなく、種々の態様を採ることができる。
（１）上記実施形態では、横梁２０、縦梁１０及び雪受け部３０をスチールのような金属製としたが、耐荷重が確保できるものであれば、例えば、ＦＲＰ（Ｆｉｂｅｒ  Ｒｅｉｎｆｏｒｃｅｄ  Ｐｌａｓｔｉｃの略）のような非金属製のものであってもよい。
（２）上記実施形態では、ネット部４０を樹脂製としたが、重量は増加するものの、金属製のネットを用いてもよい。
（３）支柱５０は、１本だけでなく、必要な強度を確保するために複数個設けてもよい。
（４）上記実施形態では、雪受け部３０の上端部分（図２中「Ａ」で示す部分）を、弓状の湾曲方向と反対方向に湾曲させてあるが、積雪が多い地域に設置するような場合には、この部分を大型化し、雪受け部３０全体がＳ字状になるようにしてもよい。このようにすることで、ネット部４０を超えて落下しようとする雪をネット部４０に方により多く折り返すようにすることができる
（５）上記実施形態では、落雪防止装置１を傾斜屋根６０の軒の部分に設置してあるが、太陽光発電用パネル７０からの落雪を防止する場合、太陽光発電用パネル７０の設置位置に合わせて、例えば、傾斜屋ね６０の中間に設置してもよい。
【符号の説明】
【００３８】
１… 落雪防止装置  ５… フレーム部  １０… 縦梁  ２０… 横梁  ３０… 雪受け部  ３２… クランク部  ４０… ネット部  ５０… 支柱  ６０… 傾斜屋根  ６２，６４… 取付金具  ７０… 太陽光発電用パネル。
【図６】
2014190050.tif 000003
【図１】
2014190050.tif 000004
【図２】
2014190050.tif 000005
【図３】
2014190050.tif 000006
【図４】
2014190050.tif 000007
【図５】
2014190050.tif 000008